【手続補正書】
【提出日】平成19年9月20日(2007.9.20)
【手続補正１】
【補正対象書類名】特許請求の範囲
【補正対象項目名】全文
【補正方法】変更
【補正の内容】
【特許請求の範囲】
【請求項１】
トロカールスリーブ（４４）と共に用いる固定用組立体（１５２）において、
内部を貫通する開口を備えた固定用組立体ハウジング（１６０）と、
前記固定用組立体ハウジング（１６０）を前記トロカールスリーブの基端部に選択的に取り付けるためのラッチ手段（１６４、１６６）と、
前記固定用組立体ハウジング内に配置された、カムレバー（１５６）、および弾性ブロック（１５４）と、
を含み、
前記カムレバーは、前記固定用組立体ハウジングに回動可能に取り付けられた第１の端部（１７０）、および使用者が作動できるように適合された自由な第２の端部（１７２）を含み、
前記固定用組立体ハウジングを前記トロカールスリーブの前記基端部に取り付け、器具を前記固定用組立体ハウジングの前記開口を介し、かつ前記トロカールスリーブを介して通過させた後、前記カムレバーを回動させて、前記弾性ブロックを前記器具に係合させて前記器具を前記固定用組立体ハウジングに対して固定するように構成されている、固定用組立体。
【請求項２】
請求項１に記載の固定用組立体において、
前記カムレバーは、そのカムレバーの前記第１の端部に近接したカム面（１５８）を含み、
前記カム面は、前記弾性ブロックが前記固定用組立体ハウジングを通る器具と係合できるように、前記弾性ブロックに選択的に係合する形状および大きさを有する、固定用組立体。
【請求項３】
請求項２に記載の固定用組立体において、
前記カム面は、器具が前記固定用組立体ハウジング内にある時に、力を込められたときだけ前記弾性ブロックに接触し、それによって前記弾性固定用組立体が使用されていないときは、前記弾性ブロックに対して加えられる力を最小限にする、固定用組立体。
【請求項４】
請求項１に記載の固定用組立体において、
前記弾性ブロックは、前記開口に近接した前方に凹状の壁部（１７４）を含み、
前記弾性ブロックは、前記固定用組立体ハウジングの前記開口を通る器具に係合する形状および大きさを有する、固定用組立体。
【請求項５】
請求項１に記載の固定用組立体において、
前記弾性ブロックは、前記固定用組立体ハウジングを通る器具に係合する形状および大きさを有する面取りされた上面を含み、これにより前記弾性ブロックと前記器具との接触によって前記弾性ブロックが前記カム面に接触するように移動し、それによって前記カムレバーを作動させて前記器具を前記固定用組立体ハウジング内に固定できる、固定用組立体。
【請求項６】
請求項１に記載の固定用組立体において、
前記固定用組立体ハウジングは、その固定用組立体ハウジング中の前記弾性ブロックの動きを制御するために保持部材（１８４、１８６）を含む、固定用組立体。
【請求項７】
請求項６に記載の固定用組立体において、
前記弾性ブロックは、前記固定用組立体ハウジングに対する前記弾性ブロックの動きを制御するために、前記固定用組立体ハウジングに形成された溝（１８２）の中に配置できる形状および大きさを有するノッチ（１８０）を含む、固定用組立体。
【請求項８】
請求項１に記載の固定用組立体において、
前記固定用組立体ハウジングは、前記トロカールスリーブ内に延在するように、前記固定用組立体ハウジングから延びるチューブ（１６２）を含む、固定用組立体。
【請求項９】
請求項８に記載の固定用組立体において、
前記チューブは、丸い先端部を備え、オブチュレータとして利用されることができる、固定用組立体。
【請求項１０】
請求項８に記載の固定用組立体において、
前記チューブおよび前記開口は、内部に内視鏡を通すことができる形状および大きさを有する、固定用組立体。
【手続補正２】
【補正対象書類名】明細書
【補正対象項目名】０１１６
【補正方法】変更
【補正の内容】
【０１１６】
本発明の実施態様は以下の通りである。
（Ａ）  トロカールスリーブに用いる固定用組立体であって、
内部を貫通する開口を備えた固定用組立体ハウジングと、
前記固定用組立体ハウジング内に配置されたカムレバー及び弾性ブロックとを含み、
前記カムレバーが、前記固定用組立体ハウジングに回動可能に取り付けられた第１の端部と、使用者が操作できるように適合された自由な第２の端部とを含み、前記カムレバーを回動させて、前記弾性ブロックを前記固定用組立体ハウジング内を通る器具に係合させて前記器具を前記固定用組立体ハウジングに固定できることを特徴とする固定用組立体。
（Ｂ）  前記カムレバーが、その前記第１の端部に近接したカム面を含み、前記カム面が、前記固定用組立体ハウジングを通る器具と係合できるように前記弾性ブロックに選択に係合する形状及び大きさを有することを特徴とする実施態様（Ａ）に記載の固定用組立体。
（Ｃ）前記カム面が、器具が前記固定用組立体ハウジング内にある時にのみ、付勢により前記弾性ブロックに接触するようにし、前記固定用組立体が使用されていない時は前記弾性ブロックに対して加えられる力を最小限にすることを特徴とする実施態様（Ａ）に記載の固定用組立体。
（１）前記弾性ブロックが前記開口に近接した前方に凹状の壁部を含み、前記弾性ブロックが、前記固定用組立体ハウジングの前記開口を通る器具に係合できる形状及び大きさを有することを特徴とする実施態様（Ａ）に記載の固定用組立体。
（２）前記弾性ブロックが、前記固定用組立体ハウジングを通る器具に係合できる形状及び大きさを有する面取りされた上面を含み、これにより前記弾性ブロックと前記器具との接触によって前記弾性ブロックが前記カム面に接触し、前記カムレバーを操作して前記器具を前記固定用組立体内に固定できることを特徴とする実施態様（Ａ）に記載の固定用組立体。
（３）前記固定用組立体ハウジングが、その中の前記弾性ブロックの動きを制御するために保持部材を含むことを特徴とする実施態様（Ａ）に記載の固定用組立体。
（４）前記弾性ブロックが、前記固定用組立体ハウジングに対して前記弾性ブロックの動きを制御するために前記固定用組立体ハウジングに形成された溝の中に配置できる形状及び大きさを有するノッチを含むことを特徴とする実施態様（３）に記載の固定用組立体。
（５）前記固定用組立体ハウジングが、そこから延びて前記トロカールスリーブ内に延在するチューブを含むことを特徴とする実施態様（Ａ）に記載の固定用組立体。
【手続補正３】
【補正対象書類名】明細書
【補正対象項目名】０１１７
【補正方法】変更
【補正の内容】
【０１１７】
（６）前記チューブが丸い先端部を備え、オブチュレータとして用いることができることを特徴とする実施態様（５）に記載の固定用組立体。
（７）前記チューブ及び前記開口が、内部に内視鏡を通すことができる形状及び大きさを有することを特徴とする実施態様（５）に記載の固定用組立体。
（８）前記チューブが前記トロカールスリーブ内に延在できる形状及び大きさを有するため、前記固定用組立体をトロカールスリーブに選択的に固定して内視鏡を使用できることを特徴とする実施態様（５）に記載の固定用組立体。
（９）前記固定用組立体ハウジングがトロカールスリーブに選択的に固定するためのラッチ構造を含むことを特徴とする実施態様（Ａ）に記載の固定用組立体。
（１０）トロカールスリーブに用いるオブチュレータであって、先端部、基端部、及び内部に延在する通路を有するシャフトと、前記シャフトの前記基端部の器具固定装置とを含み、前記器具固定装置が、器具が前記通路内に挿入され固定された時に前記器具に当接させる圧縮可能な材料を含むことを特徴とするオブチュレータ。